(57)【要約】【課題】充電コネクタ保持部を設置した保持筐体を設置面に載置した車両用充電装置において、保持筐体の設置面に水が溜まることを抑制する。【解決手段】充電ケーブルの端部に備えた充電コネクタを非充電時に保持する充電コネクタ保持部３１と、充電コネクタ保持部を開口部に設置した保持筐体３と、を備えた車両用充電装置において、前記保持筺体は、内部に侵入した水を外部に案内する排水部材３２を備え、前記排水部材は、保持筐体の設置面に対して傾斜させた傾斜部３３を充電コネクタ保持部の下方に備えた構成とする。【選択図】図３
2018078664.tif 000002
【特許請求の範囲】
【請求項１】
充電ケーブルの端部に備えた充電コネクタを非充電時に保持する充電コネクタ保持部と、充電コネクタ保持部を開口部に設置した保持筐体と、を備えた車両用充電装置であって、前記保持筺体は、内部に侵入した水を外部に案内する排水部材を備え、前記排水部材は、保持筺体の設置面に対して傾斜させた傾斜部を充電コネクタ保持部の下方に備えた車両用充電装置。
【請求項２】
前記保持筐体は、充電機器を収納する機器収納箱に載置され、前記傾斜部は、前記機器収納箱に設けられた排水部に向けて傾斜させた請求項１に記載の車両用充電装置。
【請求項３】
前記排水部材は、傾斜部の正面側で傾斜部より上方に延びる正面部と、傾斜部の側面側で傾斜部より上方に延びる側面部と、を備えた請求項１又は２に記載の車両用充電装置。
【請求項４】
充電コネクタ保持部は、保持筺体内部で取付部材に取り付けられており、取付部材は、排水部材を固定する固定部を具備した請求項１乃至３の何れかに記載の車両用充電装置。
【発明の詳細な説明】
【技術分野】
【０００１】
本発明は、車両用充電装置に関するものである。
【背景技術】
【０００２】
特許文献１に記載されているように、筐体内に充電コネクタを保持する部位を備えた車両用充電装置が知られている。このような車両用充電装置は充電コネクタを挿入する開口部等から内部に水が侵入すると、筺体の設置面上に水が溜まる虞がある。
【先行技術文献】
【特許文献】
【０００３】
【特許文献１】特開２０１２−１９６０８号公報
【０００４】
ところで、水が溜まった面は、錆の発生が助長される。また、充電装置内の湿度が高くなるため、充電装置内で錆が発生し易い環境にもなる。
【発明の概要】
【発明が解決しようとする課題】
【０００５】
本件の発明者は、この点について鋭意検討することにより、解決を試みた。本発明の課題は、充電コネクタ保持部を設置した保持筐体を備えた車両用充電装置において、保持筐体の設置面に水が溜まることを抑制することである。
【課題を解決するための手段】
【０００６】
上記課題を解決するため、次のような手段を採用する。第一の手段は、充電ケーブルの端部に備えた充電コネクタを非充電時に保持する充電コネクタ保持部と、充電コネクタ保持部を開口部に設置した保持筐体と、を備えた車両用充電装置であって、前記保持筺体は、内部に侵入した水を外部に案内する排水部材を備え、前記排水部材は、保持筺体の設置面に対して傾斜させた傾斜部を充電コネクタ保持部の下方に備えた車両用充電装置である。
【０００７】
第一の手段において、保持筐体は、充電機器を収納する機器収納箱に載置され、前記傾斜部は、前記機器収納箱に設けられた排水部に向けて傾斜させた構成とすることが好ましい。
【０００８】
第一の手段において、排水部材は、傾斜部の正面側で傾斜部より上方に延びる正面部と、傾斜部の側面側で傾斜部より上方に延びる側面部と、を備えた構成とすることが好ましい。
【０００９】
第一の手段において、充電コネクタ保持部は、保持筺体内部で取付部材に取り付けられており、取付部材は、排水部材を固定する固定部を具備した構成とすることが好ましい。
【発明の効果】
【００１０】
本発明では、充電コネクタ保持部を設置した保持筐体を設置面に載置した車両用充電装置において、保持筐体の設置面に水が溜まることを抑制することができる。
【図面の簡単な説明】
【００１１】
【図１】実施形態の車両用充電装置の斜視図である。
【図２】保持筐体の内部構造を示した斜視図である。
【図３】保持筐体の内部構造を示した正面図である。
【図４】充電コネクタ保持部周りを背面から見た斜視図である。
【図５】充電保持部を取り付けた取付部材と排水部材の斜視図である。
【図６】保持筐体を側面から見た分解断面図である。
【図７】保持筐体を側面から見た断面図である。
【図８】パネルユニットの分解斜視図である。
【図９】パネルユニットの斜視図である。
【図１０】車両用充電装置の分解斜視図である。
【図１１】保持筐体の内部構造を示した分解斜視図である。
【発明を実施するための形態】
【００１２】
以下に発明を実施するための形態を示す。本実施形態の車両用充電装置１は、充電ケーブルの端部に備えた充電コネクタを非充電時に保持する充電コネクタ保持部３１を備えている。この充電コネクタ保持部３１は、設置面４１に載置される保持筐体３の開口部６５に設置されている。また、本実施形態の車両用充電装置１は、保持筐体３の外部に水を案内する排水部材３２を備えている。この排水部材３２は、設置面４１に対して傾斜させた傾斜部３３を、充電コネクタ保持部３１の下方に備えている。したがって、保持筐体３の設置面４１に水が溜まることを抑制できる。
【００１３】
図１に示すように、本実施形態の車両用充電装置１は、保持筐体３が、充電機器等を収納する機器収納箱４に載置されている。また、図２及び図３に示すことから理解されるように、排水部材３２の傾斜部３３は、機器収納箱４の排水部４２として設けられた水切り部に向けて傾斜した構成としている。したがって、傾斜部３３に沿って移動する水は排水部４２に向けて排水することができる。このため、機器収納箱４に設けられた排水部４２を、図６〜８に示す開口部６５等から保持筐体３内部に侵入した水と機器収納箱４に降りかかった水の双方を排水するために利用できる。 
【００１４】
また、図２に示すように、本実施形態の排水部材３２は、傾斜部３３の正面側で傾斜部３３より上方に延びる正面部３４と、傾斜部３３の側面側で傾斜部３３より上方に延びる側面部３５と、を備えている。この正面部３４と側面部３５は傾斜部３３と一体に形成されている。したがって、箱体内に侵入した水が正面側や側面側を通って設置面４１に溜まることを抑制することが可能となる。なお、本実施形態の傾斜部３３は保持筐体３の上下方向の中間位置より下方に位置している。このため、設置面４１に対して、より近接して傾斜部３３を配置でき、水溜りをより効果的に防ぐことが可能となる。
【００１５】
図４に示すように、本実施形態の車両用充電装置１は、取付部材５が取り付けられている。この取付部材５は、充電コネクタ保持部３１を取り付ける第一取付部５１と、排水部材３２を取り付ける第二取付部５２とを備えている。このため、排水部材３２を図２，３に示す充電コネクタ保持部３１と図６〜８に示す開口部６５の近傍に取り付けることが容易となるので、開口部６５から浸入した水をより確実に排水することが可能となる。また、部品点数の削減も可能である。
【００１６】
本実施形態の取付部材５は、第二取付部５２を保持筐体３の下部を開口させた下部開放部３６に臨ませた位置に配置している。そのため、この下部開放部３６から排水部材３２を容易に取り付けることができる。なお、排水部材３２は、取付部材５に対して、ねじで固定される。また、図５に示すように、傾斜部３３には、取付部材５へ取付けるための孔部３７を設けている。このため、保持筐体３底面の下部開放部３６から排水部材３２の取付け作業を行うことが容易となる。
【００１７】
ところで、図１に示すように、本実施形態の車両用充電装置１は、充電コネクタの挿入部を設けたパネル６１を備えている。このパネル６１は保持筐体３に取り付けられると、車両用充電装置１の外形の一部を形成することになる。また、パネル６１は図７に示すように保持筐体３の略中央の位置まで凹ませた凹部６６を備え、凹部６６は保持筐体３の略中央の位置に上向きに傾斜した挿入面６７を備え、挿入面６７は充電コネクタ保持部３１が臨む位置に開口部６５が形成されている。このような構造とすることにより、充電コネクタを充電コネクタ保持部３１に保持させるときに、斜め上側から開口部６５を通って充電コネクタ保持部３１に差し込むことができるため、保持筐体３が比較的低い位置に設置される場合に、容易に充電コネクタを充電コネクタ保持部３１に差し込むことができる。また、充電コネクタを凹ませた凹部６６に位置させることができるため、充電コネクタが保持筐体３から大きく突出すること無く省スペースで配置することができる。一方、開口部６５を形成している挿入面６７が上向きに傾斜することで、開口部６５から水が浸入しやすくなり、また、開口部６５を保持筐体３の略中央に位置させることで、水が保持筐体３の中央に浸入してしまう。そこで、傾斜部３３を備える排水部材３２を、充電コネクタ保持部３１の下方に設けることで、浸入した水を排水部４２に効率的に排水することができる。
【００１８】
図６に示すように、パネル６１には、機器を収納した機器収納ケース６２が取り付けられている。また、保持筐体３に取り付けられた支持部材７１に載置される載置部材６３が取り付けられている。このパネル６１と機器収納ケース６２と載置部材６３は一つのユニットとしてパネルユニット６を構成する。パネルユニット６は、保持筐体３に取付けられた支持部材７１に取付けられて固定される。
【００１９】
本実施形態の機器収納ケース６２は、樹脂部材でできており、防水空間内に機器を収納したものである。この機器収納ケース６２は、表示と操作の双方が可能な表示操作部６４が備えられており、パネル６１に臨ませて取付けられる。この機器収納ケース６２は、パネル６１と載置部材６３との間に設けられる。
【００２０】
本実施形態の載置部材６３は、パネル６１が傾斜した状態で支持部材７１に取り付けられることを可能とする部材である。この載置部材６３はパネルユニット６を支持部材７１に取り付けた際に、機器収納ケース６２の背面を支えることが可能な収納ケース支持部６３１を備えている。図７に示すように、この収納ケース支持部６３１により、機器収納ケース６２の背面を支持するので、機器収納ケース６２の正面側の表示操作部６４を操作する際などの外力による荷重を受けることができる。よって、樹脂部材からなるケースの破損や変形を防止できる。なお、本実施形態の収納ケース支持部６３１は、板状の部位が傾斜配置されている箇所である。また、収納ケース支持部６３１とパネル６１との間に機器収納ケース６２が配置される。
【００２１】
図８，９に示すように本実施形態の載置部材６３は、支持部材７１の載置面に載置され固定される載置部６３２を備えている。本実施形態の載置部６３２は水平に配置された略板状の部位であり、この載置部６３２と収納ケース支持部６３１は、連結部６３３により連結されている。なお、機器収納ケース６２は載置部６３２の上方に形成されるため、機器や機器収納ケース６２の重量により載置部６３２付近にパネルユニット６の重心を位置させることができる。したがって、安定してパネルユニット６を載置面に載置することができる。
【００２２】
図６に示すように、本実施形態の載置部６３２は下方に延びる突出部６３４を備えている。この突出部６３４は載置面に形成された孔部７１１に挿通されるものである。この突出部６３４を孔部７１１に挿通すれば、正確な位置に設置した状態で、仮固定をすることができる。本実施形態の突出部６３４はネジ構造としているため、突出部６３４を孔部７１１に挿通した状態で載置面の下側からナットにより固定することができる。
【００２３】
次に取付手順について説明する。先ず、図８に示すように、「パネル６１と機器収納ケース６２を背面側からねじ固定をする。」次に「機器収納ケース６２と載置部材６３を背面側からねじ固定をする。」この作業により、図９に示すようなパネルユニット６が完成する。この時点では、図１０に示すように、パネルユニット６と保持筐体３と、機器収納箱４は分離している。
【００２４】
次に図１１に示すように、「パネルユニット６を支持部材７１の載置面に載置する。」この際、突出部６３４を孔部７１１に差し込む。そして、「下方から下部開放部３６を通ってねじ構造の突出部６３４にナット固定をする。」同時に「パネル６１に形成したねじ孔を備えた固定部８１にねじ固定する。」そして、「排水部材３２を下部開放部３６を通して第二取付部５２に対してねじ固定する。」ここで保持筐体３が完成する。最後に「保持筐体３を機器収納箱４に載置し、機器収納箱４の内側から保持筐体３の底面にねじ固定する。」
【００２５】
このような取付手順であるが、本実施形態では、載置部６３２の固定は、ねじやナット等を保持筐体３底面の下部開放部３６を通して配置し、保持筐体３の下方からドライバ等の工具を侵入させてなされる。したがって、パネルユニット６を支持部材７１に載置させた状態でネジ固定でき、取付作業性が良い。また、工具を保持筐体３下方の鉛直方向からアクセスできるので、取付作業スペースが大きくなることを抑制することができる。
【００２６】
以上、一つの実施形態を中心に説明してきたが、本発明は上記実施形態に限定されることはなく、各種の態様とすることが可能である。例えば、側面部や正面部は、傾斜部と一体となっていなくても良い。また、傾斜部を正面部が低くなるように前後方向に更に傾斜させても良い。この場合、取付部材５を取り付けるブラケット５３と、排水部材３２との間に隙間があっても、確実に排水が可能になる。また、排水部材３２は平面の傾斜部３３を備える構成に限らず、例えば雨樋のように曲面を有した傾斜部として、排水部４２へ排水するようにしてもよい。
【符号の説明】
【００２７】
１  車両用充電装置
３  保持筐体
４  機器収納箱
５  取付部材
３１  充電コネクタ保持部
３２  排水部材
３３  傾斜部
３４  正面部
３５  側面部
４１  設置面
４２  排水部
５１  第一取付部
５２  第二取付部
【図１】
2018078664.tif 000003
【図２】
2018078664.tif 000004
【図３】
2018078664.tif 000005
【図４】
2018078664.tif 000006
【図５】
2018078664.tif 000007
【図６】
2018078664.tif 000008
【図７】
2018078664.tif 000009
【図８】
2018078664.tif 000010
【図９】
2018078664.tif 000011
【図１０】
2018078664.tif 000012
【図１１】
2018078664.tif 000013